(57)【要約】      （修正有）【課題】有機アップコンバージョン材料を用いる光源装置を提供する。【解決手段】光源装置１は、有機アップコンバージョン材料２を板ガラス３中に封止してなるので、該板ガラスを介して該有機アップコンバージョン材料層に赤外光を照射することにより、該赤外光をアップコンバージョンして可視光を得ることができる。該光源装置は、例えば、窓ガラスやショーケースに用いる。この結果、該光源装置を透過した光は、太陽光本来の可視光に、前記アップコンバージョンにより発光した可視光が混合されたものとなり、窓ガラスに用いたときに、入射した太陽光以上の明るさを得ることができる。【選択図】図１
2014127268.tif 000002
【特許請求の範囲】
【請求項１】
有機アップコンバージョン材料を用いる光源装置であって、有機アップコンバージョン材料層を板ガラス中に封止してなることを特徴とする光源装置。
【請求項２】
請求項１記載の光源装置において、窓ガラスに用いることを特徴とする光源装置。
【請求項３】
請求項１記載の光源装置において、ショーケースに用いることを特徴とする光源装置。
【請求項４】
請求項１記載の光源装置において、赤外光源を備え、該赤外光源の周囲に配置されて照明装置に用いることを特徴とする光源装置。
【発明の詳細な説明】
【技術分野】
【０００１】
本発明は、光源装置に関する。
【背景技術】
【０００２】
従来、無機アップコンバージョン材料を用いた光源装置が知られている（例えば、特許文献１参照）。
【０００３】
前記光源装置は、板ガラスに分散させた無機アップコンバージョン材料により、赤外光をアップコンバージョンして、赤、緑、青の可視光を発光することができる。前記無機アップコンバージョン材料は、前記赤外光を前記可視光にアップコンバージョンする蛍光体であり、例えば、Ｙ２Ｏ３：Ｅｒ３＋（緑発光）、ＺｒＯ２：Ｅｒ３＋（緑、赤発光）、ＮａＹＦ４：Ｅｒ３＋，Ｙｂ３＋（青、緑、赤発光）、ＮａＹＦ４：Ｔｍ３＋，Ｙｂ３＋（青、緑、赤発光）、ＬｕＰＯ４：Ｙｂ３＋，Ｔｍ３＋（青、緑、赤発光）、ＹｂＰＯ４：Ｅｒ３＋（緑、赤発光）等を挙げることができる。
【先行技術文献】
【特許文献】
【０００４】
【特許文献１】特開２００５−２０６３９３号公報
【発明の概要】
【発明が解決しようとする課題】
【０００５】
ところが、前記無機アップコンバージョン材料は、励起光が特定波長の赤外線に限定され、該励起光に１０１〜１０４Ｗ／ｃｍ２という高い強度が要求されるにも拘わらず、変換効率が０．２％程度と非常に低いという問題がある。また、前記無機アップコンバージョン材料によりアップコンバージョンされた可視光はその発光スペクトルがそれぞれの発光色の線スペクトルとなるため、照射された物の本来の色が損なわれる虞がある。
【０００６】
前記問題を解決するために、有機アップコンバージョン材料を用いて光源装置を構成することが考えられる。前記有機アップコンバージョン材料は、光増感成分と有機発光成分とからなり、三重項−三重項消滅過程によりアップコンバージョンを行うものであり、両成分は溶媒に溶解又は分散されて、該溶媒中で拡散運動又は相互衝突によりエネルギーの授受を行う。
【０００７】
前記有機アップコンバージョン材料は、励起光が赤外線であればよく、その波長が限定されない上、該励起光に前記高い強度が要求されず、１０％以上の高い変換効率を得ることができる。また、前記有機アップコンバージョン材料によりアップコンバージョンされた可視光はその発光スペクトルが連続スペクトルとなるため、照射された物の本来の色を損なう虞がない。
【０００８】
しかしながら、前記有機アップコンバージョン材料は、前記光増感成分と前記有機発光成分とが溶媒に溶解又は分散されているので、板ガラスに分散させて用いることができず、光源装置を構成することが難しいという不都合がある。
【０００９】
本発明は、かかる不都合を解消して、前記有機アップコンバージョン材料を用いる光源装置を提供することを目的とする。
【課題を解決するための手段】
【００１０】
かかる目的を達成するために、本発明は、有機アップコンバージョン材料を用いる光源装置であって、有機アップコンバージョン材料層を板ガラス中に封止してなることを特徴とする。
【００１１】
本発明の光源装置は、前記有機アップコンバージョン材料層を板ガラス中に封止してなるので、該板ガラスを介して該有機アップコンバージョン材料層に赤外光を照射することにより、該赤外光をアップコンバージョンして可視光を得ることができる。
【００１２】
本発明の光源装置は、例えば、窓ガラスに用いる。この場合、本発明の光源装置は、太陽光を入射させることにより、該太陽光のうち、可視光はそのまま透過し、赤外光は可視光にアップコンバージョンすることができる。この結果、本発明の光源装置を透過した光は、太陽光本来の可視光に、前記アップコンバージョンにより発光した可視光が混合されたものとなる。
【００１３】
従って、本発明の光源装置によれば、窓ガラスに用いたときに、入射した太陽光以上の明るさを得ることができる。
【００１４】
また、本発明の光源装置は、例えば、ショーケースに用いる。この場合、本発明の光源装置は、外部から赤外光を入射させることにより、該赤外光を可視光にアップコンバージョンすることができる。
【００１５】
従って、本発明の光源装置によれば、ショーケースに用いたときに、可視光の照明が無いときにも外部から赤外光を入射させるだけで、該ショーケース内部を前記アップコンバージョンにより発光した可視光により照明することができる。
【００１６】
また、本発明の光源装置は、例えば、赤外光源を備え、該赤外光源の周囲に配置されて照明装置に用いる。この場合、本発明の光源装置は、前記赤外光源から照射される赤外光を入射させることにより、該赤外光を可視光にアップコンバージョンして発光することができ、照明装置として用いることができる。
【図面の簡単な説明】
【００１７】
【図１】本発明の光源装置を示す説明的断面図。
【図２】本発明の光源装置を窓ガラスに用いた場合の例を示す説明的断面図。
【図３】本発明の光源装置をショーケースに用いた場合の例を示す説明的断面図。
【図４】本発明の光源装置を照明装置に用いた場合の例を示す説明的断面図。
【発明を実施するための形態】
【００１８】
次に、添付の図面を参照しながら本発明の実施の形態についてさらに詳しく説明する。
【００１９】
図１に示すように、本実施形態の光源装置１は、有機アップコンバージョン材料２を板ガラス３中に封止してなる。
【００２０】
有機アップコンバージョン材料２は、有機光増感分子と有機発光分子とがイオン液体等の溶媒に分散又は溶解されている。前記有機光増感分子としては、例えば、２，３−ブタンジオン、ポルフィリン類、金属ポルフィリン類、スチリル色素、ポリフルオレン、ポリパラフェニレン類、フタロシアニン類、キサンテン類等の有機化合物を挙げることができる。
【００２１】
また、前記有機発光分子としては、例えば、２，５−ジフェニルオキサゾール、Poly[(methylmethacrylate-co-(7-(4-trifluoromethyl)coumarin acrylamide)]（ＰＣＡ）、金属フタロシアニン類、フタロシアニン類、ポリフルオレン類、オリゴフルオレン類、ポリシラン類等の有機化合物を挙げることができる。また、前記イオン液体としては、1-ethyl-3-methylimidazoliumBis(trifluoromethylsulfonyl)imide、1-ethyl-2,3-dimethylimidazoliumBis(trifluoromethylsulfonyl)imide等を挙げることができる。
【００２２】
光源装置１において、有機アップコンバージョン材料２は、厚さｄ１が例えば０．０５〜２．０ｍｍの範囲となるようにされている。また、板ガラス３は、厚さｄ２が例えば１．４〜６．８ｍｍの範囲となるようにされており、有機アップコンバージョン材料２を含めた光源装置１全体の厚さＤが例えば２．８５〜１５．６ｍｍの範囲となるようにされている。
【００２３】
前記構成を備える光源装置１によれば、板ガラス３を介して有機アップコンバージョン材料２に入射する赤外光Ｉを、有機アップコンバージョン材料２により可視光Ｖにアップコンバージョンして発光することができる。
【００２４】
尚、光源装置１では、板ガラス３に代えて、透光性樹脂等の透光性材料中に有機アップコンバージョン材料２を封止するようにしてもよい。但し、この場合、前記透光性材料が赤外光Ｉを吸収して加熱される場合には、有機アップコンバージョン材料２が十分に機能しないことがあるので注意を要する。
【００２５】
光源装置１は、例えば図２に示すように、家屋４等の建築物の窓ガラス５として用いることができる。この場合、窓ガラス５に入射する太陽光Ｓは、可視光Ｖ１と赤外光Ｉとを含んでおり、光源装置１としての窓ガラス５は、該可視光Ｖ１をそのまま透過する一方、該赤外光Ｉを有機アップコンバージョン材料２により可視光Ｖ２にアップコンバージョンして発光する。
【００２６】
この結果、光源装置１としての窓ガラス５を介して屋内４ａに入射する光は、太陽光Ｓに本来含まれている可視光Ｖ１と有機アップコンバージョン材料２によりアップコンバージョンされた可視光Ｖ２とが混合されたものとなる。従って、光源装置１としての窓ガラス５によれば、入射した太陽光Ｓによるもの以上に屋内４ａを明るく照明することができる。
【００２７】
また、光源装置１は、例えば図３に示すように、ショーケース６として用いることができる。この場合、光源装置１としてのショーケース６は、外部に設けた赤外光源（図示せず）から照射される赤外光Ｉを有機アップコンバージョン材料２により可視光Ｖにアップコンバージョンして発光する。
【００２８】
この結果、光源装置１としてのショーケース６は、内部に照明装置を備えることなく、内部に載置された展示物７を照明することができる。従って、光源装置１としてのショーケース６は、美術館、博物館等の照明の無い室内において、ショーケース６の内部のみを照明することもでき、特殊な照明効果を得ることができる。
【００２９】
このとき、有機アップコンバージョン材料２によりアップコンバージョンされた可視光Ｖは発光スペクトルが連続スペクトルであるので、光源装置１としてのショーケース６は、展示物７の本来の色を損なうことがない。また、光源装置１としてのショーケース６は、内部に照明装置を備える必要が無いので、展示物７の鑑賞の妨げとなることがなく、しかも展示物７が該照明装置から照射される紫外線や熱により劣化することを防止することができる。
【００３０】
また、光源装置１は、例えば図４に示すように、照明装置８として用いることができる。この場合、照明装置８は、有機アップコンバージョン材料２を球状に形成された板ガラス３中に封止してなり、板ガラス３の内側に赤外光源９が配設されている。即ち、赤外光源９の周囲に光源装置１が配置された構成となっている。
【００３１】
この結果、照明装置８は、球状に形成された板ガラス３の内側に配設された赤外光源９から照射される赤外光Ｉを有機アップコンバージョン材料２により可視光Ｖにアップコンバージョンして外部に発光することにより、照明を行うことができる。
【符号の説明】
【００３２】
１…光源装置、  ２…有機アップコンバージョン材料、  ３…板ガラス、  ５…窓ガラス、  ６…ショーケース、  ８…照明装置、  ９…赤外光源。
【図１】
2014127268.tif 000003
【図２】
2014127268.tif 000004
【図３】
2014127268.tif 000005
【図４】
2014127268.tif 000006